(57)【要約】【課題】本開示は、係止装置を取り付ける際の作業性が良いフィルタ装置を備えた衣類乾燥機を提供する。【解決手段】本開示における衣類乾燥機は、循環風路の空気を除湿する除湿手段２０と、塵を捕獲するフィルタ装置２４と、前記フィルタ装置を着脱可能に収容するフィルタ装置収容部２５と、を備え、フィルタ装置収容部２５には、フィルタ装置を着脱可能に係止する係止装置６０が設けられる。係止装置６０は、フィルタ装置収容部２５の外壁である係止装置取付部７０に設けられた台座７１から挿入され、回動動作により係止装置取付部７０に対して装着状態となり、係止装置取付部７０と固定される。そのため、本開示における衣類乾燥機は、係止装置６０をフィルタ装置収容部２５に固定する際の仮固定を容易に行うことができるので、作業性が良い。【選択図】図５
2020039527.tif 000002
【特許請求の範囲】
【請求項１】
筐体と、
前記筐体の内部に弾性的に支持される外槽と、
前記外槽の内部に回転自在に配設される回転槽と、
前記外槽と接続され、前記回転槽内の空気を循環させる循環風路と、を備え、
前記循環風路には、前記循環風路の空気を加熱する加熱手段と、前記循環風路に送風する送風手段と、塵を捕獲するフィルタ装置と、前記フィルタ装置を着脱可能に収容するフィルタ装置収容部と、が設けられ、
前記フィルタ装置収容部には、前記フィルタ装置を着脱可能に係止する係止装置が設けられ、
前記係止装置は、前記フィルタ装置収容部の外壁に設けられた挿入孔から挿入され、回動動作により前記外壁に対して装着状態となる、
衣類乾燥機。
【請求項２】
前記係止装置は、
前記挿入孔から挿入され、前記係止装置を前記外壁に支持するピンカバーと、前記ピンカバーの内側に配置されるバネと、前記バネにより前記フィルタ装置に向かって付勢され、前記フィルタ装置を着脱可能に係止するピンと、を有する、
請求項１に記載の衣類乾燥機。
【請求項３】
前記ピンカバーは、
略円筒状に形成され、前記挿入孔に遊嵌する回動部と、
前記回動部における前記外壁面側の一端に形成され、装着状態において前記外壁面に設けられた外壁係止部と係合する係止部と、
を有するとともに、
前記装着状態において、前記外壁に対して固定される、
請求項２に記載の衣類乾燥機。
【請求項４】
筐体と、
前記筐体の内部に弾性的に支持される外槽と、
前記外槽と接続され、前記回転槽内の空気を循環させる循環風路と、を備え、
前記循環風路には、前記循環風路の空気を加熱する加熱手段と、前記循環風路に送風する送風手段と、塵を捕獲するフィルタ装置と、前記フィルタ装置を着脱可能に収容するフィルタ装置収容部と、が設けられ、
前記フィルタ装置収容部には、前記フィルタ装置収容部の外壁に設けられた挿入孔から挿入され、前記フィルタ装置を着脱可能に係止する係止装置が設けられており、前記係止装置と前記挿入孔との間は気密されている、
衣類乾燥機。
【発明の詳細な説明】
【技術分野】
【０００１】
本開示は、循環風路にフィルタを備えた衣類乾燥機に関する。
【背景技術】
【０００２】
特許文献１は、洗濯乾燥機の循環風路に設けられ、リント等の塵を捕捉するフィルタを備えたドラム式洗濯乾燥機を開示する。
【０００３】
図７（ａ）は、従来のドラム式洗濯乾燥機のフィルタ装置及びフィルタ装置収容部の縦断面図、図７（ｂ）は、同ドラム式洗濯乾燥機のフィルタ装置の外観斜視図である。
【０００４】
図７に示すように、特許文献１におけるドラム式洗濯乾燥機は、水槽内の空気を排気して除湿し、加熱した乾燥した空気を再び水槽内に送風する循環送風経路と、循環送風経路に設けられたフィルタ室３６と、フィルタ室に収容され、循環空気中の塵を捕捉するフィルタ９１と、を備える。また、フィルタ９１には樹脂ばね７５ｂが設けられ、フィルタ室３６に設けられた係合穴７５ａと樹脂ばね７５ｂが嵌合する。
【先行技術文献】
【特許文献】
【０００５】
【特許文献１】特開２００８−７９８５５号公報
【発明の概要】
【発明が解決しようとする課題】
【０００６】
しかしながら、前記従来の構成では、フィルタに樹脂ばねを設けるためにフィルタ部分が小さくなるという課題があった。また、仮に、樹脂ばねをフィルタ室側に取り付けた場合には、フィルタ室の内側から樹脂ばねを取り付ける必要があるため、作業性が低くなるという課題があった。
【０００７】
本開示は、係止装置を取り付ける際の作業性が良いフィルタ装置を備えた衣類乾燥機を提供する。
【課題を解決するための手段】
【０００８】
本開示における衣類乾燥機は、筐体と、前記筐体の内部に弾性的に支持される外槽と、前記外槽の内部に回転自在に配設される回転槽と、前記外槽と接続され、前記回転槽内の空気を循環させる循環風路と、を備える。前記循環風路には、前記循環風路の空気を加熱する加熱手段と、前記循環風路に送風する送風手段と、塵を捕獲するフィルタ装置と、前記フィルタ装置を着脱可能に収容するフィルタ装置収容部と、が設けられ、前記フィルタ装置収容部には、前記フィルタ装置を着脱可能に係止する係止装置が設けられ、前記係止装置は、前記フィルタ装置収容部の外壁に設けられた挿入孔から挿入され、回動動作により前記外壁に対して装着状態となる。
【発明の効果】
【０００９】
本開示における衣類乾燥機は、乾燥フィルタの係止装置を取り付ける際の作業性が良い。
【図面の簡単な説明】
【００１０】
【図１】実施の形態１におけるドラム式洗濯乾燥機の縦断面図
【図２】同ドラム式洗濯乾燥機のフィルタ装置及びフィルタ装置収容部の外観斜視図
【図３】（ａ）同ドラム式洗濯乾燥機のフィルタ装置の外観側面図、（ｂ）同ドラム式洗濯乾燥機のフィルタ装置及びフィルタ装置収容部の外観上面図、（ｃ）同ドラム式洗濯乾燥機のフィルタ装置及びフィルタ装置収容部の図３（ｂ）におけるＸ−Ｙ断面図
【図４】（ａ）挿入動作時における、フィルタ装置及びフィルタ装置収容部の係合部周辺の拡大模式図、（ｂ）引出動作時における、フィルタ装置及びフィルタ装置収容部の係合部周辺の拡大模式図
【図５】（ａ）回転動作時における、ピンカバー係止部周辺の拡大上面図、（ｂ）装着状態における、ピンカバー係止部周辺の拡大上面図
【図６】図５におけるＣ部の側面図
【図７】（ａ）従来のドラム式洗濯乾燥機のフィルタ装置及びフィルタ装置収容部の縦断面図、（ｂ）同ドラム式洗濯乾燥機のフィルタ装置の外観斜視図
【発明を実施するための形態】
【００１１】
以下、適宜図面を参照しながら、実施の形態を詳細に説明する。
【００１２】
（実施の形態１）
［１−１．衣類乾燥機の基本構成］
以下、図１〜５を用いて、実施の形態１を説明する。本実施の形態では、衣類乾燥機としてドラム式洗濯乾燥機を例に説明する。
【００１３】
図１は、実施の形態１におけるドラム式洗濯乾燥機の縦断面図、図２は、同ドラム式洗濯乾燥機のフィルタ装置及びフィルタ装置収容部の外観斜視図である。
【００１４】
図１において、筐体１は、有底円筒状に形成された外槽３を内包する。外槽３は、中心軸が前方から後方に向けて低くなるように、複数のサスペンション２により弾性的に支持されている。外槽３の内部には、有底円筒状の回転槽である内槽５が回転自在に配設されている。内槽５は、内槽５の底部に固定されたモータにより回転駆動される。筐体１は、内槽５及び外槽３の開口と対向するように開口１ａを有しており、この開口１ａから衣類を内槽５に出し入れ可能となっている。扉７は、開口１ａを覆うように開閉自在に配設されている。
【００１５】
外槽３の底部には、洗濯水を排出する排水経路９が配設されており、排水経路９は排水弁１０に連結されている。排水弁１０は、筐体１の後方下部に配設されており、開閉自在に設けられている。洗濯時には排水弁１０を閉じ、外槽３内に所定量の洗濯水を溜める。排水時には排水弁１０を開け、外部へと洗濯水を排出する。
【００１６】
外槽３の上部には第１の循環風路１２が接続されている。第１の循環風路１２は、上方に延伸し、筐体１の上部に配置されたヒートポンプユニット１３と接続する。
【００１７】
ヒートポンプユニット１３は、ヒートポンプケース１７と、除湿手段２０と、加熱手段２１と、フィルタ装置２４とを備えている。図２に示すように、ヒートポンプケース１７は、樹脂により箱状に形成されている。ヒートポンプケース１７の前部には、上方を開口したフィルタ装置収容部２５が形成され、フィルタ装置２４を収容する。フィルタ装置２４は、フィルタ装置収容部２５に嵌合するように着脱自在に配置され、導入された空気を濾過する。ヒートポンプケース１７の後方には、除湿手段２０及び加熱手段２１が内包されている。除湿手段２０は、ヒートポンプケース１７内に導入された空気を冷却し、空気中の水蒸気を凝縮して水にする。ヒートポンプケース１７の下部には水排出経路３７が接続されており、除湿手段２０により発生した水を外槽３へと排出する。加熱手段２１は、除湿された空気を加熱する。
【００１８】
ヒートポンプケース１７の後部には第２の循環風路１５の一端が接続されており、第２の循環風路１５の他端は外槽３と接続されている。第２の循環風路１５には送風ファンが設けられ、ヒートポンプケース１７内の空気を吸い込み、外槽３へと送風する。
【００１９】
以上のように、本実施の形態における循環風路は、第１の循環風路１２と、ヒートポンプユニット１３と、第２の循環風路１５により構成され、矢印ａの向きに空気を循環させる。循環経路は、外槽３内の湿った空気を吸い込み、乾燥した高温の空気を内槽５内に送り込み、洗濯物を乾燥させる。
【００２０】
［１−２．フィルタ装置及びフィルタ装置収容部の構成］
図３及び図４を用いて、フィルタ装置２４およびフィルタ装置収容部２５について説明する。なお、図４は、図３（ｃ）におけるＢ部の拡大図である。
【００２１】
図３（ａ）は、本実施の形態におけるドラム式洗濯乾燥機のフィルタ装置及びフィルタ装置収容部の外観側面図、図３（ｂ）は、本実施の形態におけるドラム式洗濯乾燥機のフィルタ装置及びフィルタ装置収容部の外観上面図、図３（ｃ）は、同ドラム式洗濯乾燥機のフィルタ装置及びフィルタ装置収容部の図３（ｂ）におけるＸ−Ｙ断面図、図４（ａ）は、挿入動作時における、フィルタ装置及びフィルタ装置収容部の係合部周辺の拡大模式図、図４（ｂ）は、引出動作時における、フィルタ装置及びフィルタ装置収容部の係合部周辺の拡大模式図である。
【００２２】
図３（ａ）に示すように、フィルタ装置２４は、主に、樹脂製のフィルタ筐体２４ａと、規則的に細孔が配列されているメッシュ状のフィルタ部２４ｂで構成されている。フィルタ装置２４がフィルタ装置収容部２５の内部に収容された状態で、フィルタ部２４ｂは循環空気の流れと対向する。フィルタ部２４ｂは、循環空気に含まれる塵を捕捉し、フィルタ装置２４の内部に収容する。ユーザは、フィルタ装置２４をフィルタ装置収容部２５から取り外すことで、内部に収容された塵を廃棄することができる。
【００２３】
図３（ｃ）、図４において、フィルタ装置２４の側面には、側面に対して緩やかに隆起している挿入側傾斜面５１と、挿入側傾斜面５１に対して反対向きに沈降している引出側傾斜面５２と、側面に対して平行となるように設けられたピン保持部５３と、が配置されている。挿入側傾斜面５１、引出側傾斜面５２及びピン保持部５３は、一体に形成されており、フィルタ装置２４においてフィルタ部２４ｂと隣り合う面に対して凸状部を形成している。挿入側傾斜面５１、引出側傾斜面５２及びピン保持部５３は、水平面を有していないので自然落下してきた塵が積もりにくく、凸形状なので付着した塵を取り除きやすい。
【００２４】
フィルタ装置収容部２５の外壁には、係止装置取付部７０が設けられている。係止装置取付部７０は、主に、フィルタ装置収容部２５の外壁を貫通する挿入孔７５と、挿入孔７５の周囲にフィルタ装置収容部２５外方に向かって略円筒状に突出形成される台座７１と、台座７１の近傍に台座７１に対して対向する位置に一対設けられるボス７４、を備えている。ボス７４の先端には、台座７１側に向かって第３の凸部７３が設けられている。ボス７４に対して略直交する位置に一対のネジボス７６が形成されている。
【００２５】
一方、図３（ｃ）及び図４に示すように、フィルタ装置収容部２５は、上記凸状部と共同してフィルタ装置２４がフィルタ装置収容部２５から抜け出ることを抑止する係止装置６０を備えている。
【００２６】
係止装置６０は、主に、ピン６１と、ピン６１の背面に配置されるピンカバー６３と、ピンカバー６３に固定され、ピン６１とピンカバー６３の間に設けられる金属バネ６２と
、を備えている。
【００２７】
ピンカバー６３は、略円筒状に形成された回動部６６と、回動部６６と一体に形成されたピンカバー係止部６７により構成されている。ピンカバー係止部６７は、回動部６６に対して略十字状に形成され、楕円状部分には、ネジ孔６８が形成されている。
【００２８】
楕円状部分に対して略直交する突片には、突起状の第１の凸部６５ａと第２の凸部６５ｂが間隔を有して設けられている。第１の凸部６５ａと第２の凸部６５ｂとの間の間隔は、第３の凸部７３の横幅寸法と略等しい。ピンカバー６３の装着時の回転方向先行側に位置する第１の凸部６５ａは、係止装置取付部７０に装着した状態でフィルタ装置収容部２５から離間する側の面が第３の凸部の下端より低い高さに形成されている。また、第１の凸部６５ａの先端部は、回転方向先行側位置が回動部６６からの突出量が少なくなるように略円弧状、あるいは面取り状に形成されて、傾斜面を構成している。第２の凸部６５ｂは、係止装置取付部７０に装着した状態でフィルタ装置収容部２５から離間する側の面が第１の凸部６５ａの面よりも高く、また、外径方向に長く形成されている。ピンカバー係止部６７は、板状に形成されており、主に楕円状部分を作業者が掴む把持部品としての役割を有する。
［１−３．係止装置の取付方法］
図５及び図６を用いて、係止装置６０を係止装置取付部７０に装着する際の動作を説明する。なお、図５は、図２におけるＡ、Ｃ部の拡大図である。
【００２９】
図５（ａ）は、回転動作時における、ピンカバー係止部周辺の拡大上面図、図５（ｂ）は、装着状態における、ピンカバー係止部周辺の拡大上面図、図６は、図２におけるＣ部の拡大側面図である。
【００３０】
作業者は、初めに、ピン６１を挿入孔７５に挿入する。ピン６１の端部には、外周側に全周にわたりリブ６９が設けられており、リブ６９は台座７１の内径よりも大きく、台座７１の外径よりも小さい。これにより、リブ６９は、台座７１に係って止められることで、挿入孔７５に対して抜け止めされている。
【００３１】
次に、作業者はピンカバー係止部６７を掴み、金属バネ６２をピン６１の内部に挿入しつつ、ピンカバー６３を台座７１に押し付ける。この時、ピンカバー６３の回動部６６の内周は、台座７１の外周と遊嵌した状態になっている。
【００３２】
作業者は、ピンカバー係止部６７を掴み、ピンカバー６３を台座７１に押し付けながら図５（ａ）において時計回りに回転させる。すると、ピンカバー係止部６７にある第１の凸部６５ａは、ボス７４と接触する。ピンカバー係止部６７の第１の凸部６５ａは、ボス７４の第３の凸部７３の下端より低く形成しているので、第１の凸部６５ａは、第３の凸部７３に接触することなく、ボス７４に接触する。ボス７４は、ピンカバー係止部６７の回動に伴い、第１の凸部６５ａの傾斜面によって外周側に押されてたわむ。第１の凸部６５ａがボス７４を乗り越え、第１の凸部６５ａと第２の凸部６５ｂとの間にボス７４が嵌合する。第２の凸部６５ｂは、第１の凸部６５ａより高く形成されているので、第２の凸部６５ｂが第３の凸部７３に当接し、ピンカバー６３の回動が阻止される。ピンカバー６３の反時計回りへの回動は、第１の凸部６５ａがボス７４に当接することにより阻止される。
【００３３】
第１の凸部６５ａ及び第２の凸部６５ｂと、ボス７４とが嵌合している状態において、係止装置６０は係止装置取付部７０に対して仮固定されて装着状態となる。
【００３４】
本実施の形態においては、一度装着状態になると係合が外れないようになっている。
【００３５】
作業者は、係止装置６０を装着状態にした後、ネジボス７６にピンカバー係止部６７に設けられた二箇所のネジ孔６８からネジ止めを行い、係止装置６０を係止装置取付部７０に対して固定する。
【００３６】
係止装置６０は、フィルタ装置収容部２５の外側から取り付ける構成としており、組立の際の作業性を向上できる。係止装置６０は、製品組立時に、フィルタ装置収容部２５の側壁に設けられた係止装置取付部７０に対して装着状態にされる。
【００３７】
［２−１．衣類乾燥機の基本動作］
以上のように構成された洗濯乾燥機について、その動作を以下説明する。
【００３８】
ユーザが、内槽５内に洗濯物を投入し、操作表示部（図示せず）を操作すると、洗濯運転が開始される。洗濯運転の詳細については割愛する。洗濯運転が終了すると、引き続き乾燥運転が開始される。乾燥運転が開始されると、送風ファン１１は、外槽３及び内槽５内の空気を吸引する。内槽５は、モータ６により回転駆動され、内槽５内に収容された衣類を上下左右に攪拌する。衣類に付着していたリントや埃等の塵は、内槽５の回転駆動により衣類から取り除かれる。
【００３９】
外槽３から吸引された空気は、循環空気として第１の循環風路１２を通りフィルタ装置２４に送られる。衣類から取り除かれた塵は、循環空気と共にフィルタ装置２４へと送られ、循環空気がフィルタ装置を通過する際にフィルタ部２４ｂにより捕獲される。フィルタ装置を通過した空気は、除湿手段２０により除湿され、加熱手段２１により加熱される。このように乾燥された温風は、送風ファン１１により第２の循環経路を経て、内槽５内へと送風される。以上の動作を繰り返すことで、洗濯乾燥機は、内槽５内の洗濯物の水分を蒸発させ、洗濯物を乾燥させる。内槽５内の空気が予め設定された乾燥率を超えると、乾燥運転が終了する。
【００４０】
［２−２．フィルタ装置のフィルタ装置取付部への着脱動作］
図４を用いて、フィルタ装置２４のフィルタ装置収容部２５への着脱動作を説明する。
【００４１】
初めに、図４（ａ）を用いて、挿入動作について説明する。ユーザは、まず、フィルタ装置収容部２５内にフィルタ装置２４を挿入する。この時、ピン６１は、挿入側傾斜面５１の挿入方向側の端部に接触した状態になっている。ユーザがフィルタ装置２４を図４（ａ）矢印方向に向けて押し込むと、ピン６１はピンカバー６３側に押し付けられ、金属バネ６２は次第に縮んでいく。フィルタ装置２４が矢印方向へと進むのに伴い、ピン６１は、挿入側傾斜面５１に沿って徐々にピンカバー６３側へと動く。ピン６１は、緩やかに傾斜する挿入側傾斜面５１に沿って動いているため、金属バネ６２の付勢力による抵抗を弱く受ける。このように、徐々にピン６１が縮んでいくことにより、ユーザに対してスムーズな挿入感を与えることができる。
【００４２】
ピン６１は、挿入側傾斜面５１と引出側傾斜面５２との間の角を乗り越えてピン保持部５３へと到達すると、ピン保持部５３との衝突により音を立て、引出側傾斜面５２に係って止められる。ユーザは、ピン６１とピン保持部５３との衝突音、及び金属バネ６２によるクリック感から、挿入動作が終了したことを知ることができる。
【００４３】
次に、図４（ｂ）を用いて、引出動作について説明する。ユーザは、フィルタ装置２４に設けられた把持部（図示せず）を掴み、図４（ｂ）矢印方向へ引き上げる。すると、引出側傾斜面５２及びピン保持部５３により保持されているピン６１は、引出側傾斜面５２に押し付けられ、ピンカバー６３側へと動く。引出側傾斜面５２は、ピン６１に対して挿
入側傾斜面５１よりも急勾配に形成されている。従って、引出動作時における引出側傾斜面５２は、金属バネ６２の付勢力による抵抗をより強く受けるため、引出動作に必要な力は、挿入動作に必要な力よりも大きい。ピン６１は、引出側傾斜面５２と挿入側傾斜面５１との間の角を乗り越えると音を立てる。ユーザは、音の発生、及び金属バネ６２によるクリック感から、ピン６１による係止が解消されたことを知ることができる。
【００４４】
フィルタ装置２４がフィルタ装置収容部２５に収容された状態では、ピン６１は引出側傾斜面５２に係って止められる。これにより、フィルタ装置２４は、フィルタ装置収容部２５の内部に収容された状態でロックされているため、筐体１が異常振動したとしてもフィルタ装置収容部２５から飛び出すことを防ぐことができる。
【００４５】
このように、本実施の形態におけるフィルタ装置２４は、挿入動作時には小さな力で徐々に挿入され、引出動作時には挿入動作と比較して大きな力が必要となるように構成されている。引出向きには大きな力が必要なため、洗濯運転時の振動等で係止が外れないようになっている。それに加え、扉７の開閉動作や乾燥運転による送風動作の際、内槽５の内圧が上昇し、フィルタ装置２４に取出向きの力が加わった時の外れを防止することができる。
【００４６】
［２−３．着脱動作時における係止装置内部の動作］
図４を用いて、着脱動作時における係止装置内部の動作を説明する。
【００４７】
図４（ｂ）に示すように、フィルタ装置２４がフィルタ装置収容部２５の内部に収容されている時、ピン６１の側面は台座７１の内壁に対して略当接しており、ピン６１の端部に設けられたリブ６９は回動部６６の内壁と近接している。従って、挿入動作時、又は引出動作時において金属バネ６２が押し縮められる時、ピン６１は回動部６６の内壁に対して安定して摺動する。これにより、ピン６１が押し縮められる時、又は伸びた状態に戻る時に、ピン６１のがたつきを抑止できる。また、金属バネ６２が縮んでいる時、ピン６１の側面の一部は回動部６６の内壁と当接しなくなるが、リブ６９が回動部６６の内壁と近接しているため、ピン６１は安定して摺動し続けることができる。更に、リブ６９が回動部６６の内壁と近接していることにより、回動部６６の内部空間に塵が入ることを抑止できる。
【００４８】
また、ピン６１と回動部６６、及び回動部６６と台座７１の隙間はラビリンス構造となっており、空気が通りづらい構造となっている。更に、回動部６６と台座７１との間には、Ｏリング７２が配置されており、回動部６６と台座７１との隙間を気密にシールしている。このように、Ｏリングを台座７１の根元に装着する構成にすると、係止装置６０を台座７１に嵌合するだけで台座７１と係止装置６０との間の間隙を容易にシールすることができるため、作業性を向上させることができる。
【００４９】
扉７の開閉動作や乾燥運転による送風動作の際、前述の通り、内槽５の内圧が上昇する。すると、フィルタ部２４ｂを逃れた少量の塵を含む空気が、ピン６１と台座７１との隙間から侵入しようとする。しかし、上記ラビリンス構造及びＯリング７２が設けられていることで、回動部６６の内部空間は略密閉空間となっており、空気は通り抜けることができない。そのため、係止装置６０の外部に塵が漏れることを抑止することができる。
【００５０】
以上のように、本実施の形態において、衣類乾燥機は、筐体１と、筐体の内部に弾性的に支持される外槽３と、外槽３の内部に回転自在に配設される内槽５と、外槽３と接続され、内槽５内の空気を循環させる循環風路と、を備える。また、循環風路には、循環風路の空気を加熱する加熱手段２１と、循環風路に送風する送風手段１１と、循環風路の空気を除湿する除湿手段２０と、塵を捕獲するフィルタ装置２４と、前記フィルタ装置を着脱
可能に収容するフィルタ装置収容部２５と、が設けられる。フィルタ装置収容部２５には、フィルタ装置を着脱可能に係止する係止装置６０が設けられる。係止装置６０は、フィルタ装置収容部２５の外壁である係止装置取付部７０に設けられた挿入孔７５から挿入され、回動動作により係止装置取付部７０に対して装着状態となり、係止装置取付部７０と固定される。
【００５１】
これにより、係止装置６０を挿入孔７５に挿入して回動させるだけで、係止装置取付部７０に対して係止装置６０を装着することができる。そのため、本開示における衣類乾燥機は、乾燥フィルタの係止装置を取り付ける際の作業性を向上できる。
【００５２】
本実施の形態のように、係止装置６０は、挿入孔７５から挿入され、係止装置６０を係止装置取付部７０に支持するピンカバー６３と、ピンカバー６３の内側に配置される金属バネ６２と、金属バネ６２によりフィルタ装置２４に向かって付勢され、フィルタ装置２４を着脱可能に係止するピン６１と、を有する、ように構成してもよい。
【００５３】
本実施の形態のように、ピンカバー６３は、略円筒状に形成され、台座７１に遊嵌する回動部６６と、回動部６６において係止装置取付部７０側の一端であるピンカバー係止部６７に形成され、装着状態において係止装置取付部７０に設けられたボス７４と係合する第１の凸部６５ａ及び第２の凸部６５ｂと、を有し、係止装置取付部７０に対して仮固定して装着状態となる、ように構成してもよい。
【００５４】
これにより、回動部６６を台座７１に貫入させた状態で係止装置６０を回転させるだけで、第３の凸部７３が第１の凸部６５ａ及び第２の凸部６５ｂとに係合し、係止装置６０が仮固定される。そのため、本開示における衣類乾燥機のフィルタ装置の係止装置６０は、フィルタ装置収容部２５に対して係止装置６０を容易に固定することができる。
【００５５】
また、本実施の形態において、衣類乾燥機は、筐体１と、筐体の内部に弾性的に支持される外槽３と、外槽３の内部に回転自在に配設される内槽５と、外槽３と接続され、内槽５内の空気を循環させる循環風路と、を備える。また、循環風路には、循環風路の空気を加熱する加熱手段２１と、循環風路に送風する送風手段１１と、循環風路の空気を除湿する除湿手段２０と、塵を捕獲するフィルタ装置２４と、前記フィルタ装置を着脱可能に収容するフィルタ装置収容部２５と、が設けられる。フィルタ装置収容部２５には、フィルタ装置収容部２５の外壁に設けられた台座７１から挿入され、フィルタ装置を着脱可能に係止する係止装置６０が設けられており、係止装置６０と台座７１との間はＯリング７２により気密されている。
【００５６】
これにより、係止装置６０周辺においてフィルタ装置収容部の内外が連通しないので、係止装置６０において外気の流入及び循環空気の流出を抑止できる。そのため、係止装置６０の内部に塵が侵入することを抑止するとともに、内槽５の内圧が変動することを抑制できる。
【００５７】
（他の実施の形態）
以上のように、本出願において開示する技術の例示として実施の形態１を説明したが、本開示における技術はこれに限定されない。
【００５８】
そこで、以下、他の実施の形態を例示する。
【００５９】
実施の形態１では、衣類乾燥機の一例としてドラム式洗濯乾燥機を説明した。衣類乾燥機は、濡れた衣類を乾燥できるものであればよいので、ドラム式洗濯乾燥機に限定されない。従って、洗濯乾燥機能を有さない衣類乾燥機であってもよいし、乾燥機能を有する縦
型洗濯乾燥機であってもよい。
【００６０】
実施の形態１では、回転動作によりフィルタ装置収容部の外壁に装着された係止装置を固定する手段の一例として、ネジを説明した。係止装置を固定する手段は、ネジに限定されない。係止装置は、装着状態にされたことで既に外壁に対して固定されているため、ネジ等の追加の固定手段を用いなくてもよい。
【００６１】
実施の形態１では、外壁面に設けられた外壁係止部と係合し、固定される係止部の一例として、第３の凸部７３と係合し、固定される第１の凸部６５ａ及び第２の凸部６５ｂを説明した。外壁係止部は外壁に設けられ、係止部はピンカバーに設けられていればよい。従って、外壁係止部及び係止部は、両方が凸形状に構成されたものに限定されず、片方が凸部であり他方が凹部である爪嵌合で構成されてもよい。また、実施の形態１では、一度係合すると外すことはできないと説明したが、着脱可能に形成してもよい。
【００６２】
実施の形態１では、係止装置と挿入孔との間を気密する手段の一例として、ゴム製のＯリングを説明した。係止装置と挿入孔との間は、フィルタ装置収容部の内外が連通することを防ぐ手段が設けられていればよい。従って、係止装置と挿入孔との間を密封する手段は、Ｏリングに限定されず、回動部６６の内壁にグリスを塗布した構成や、係止装置と挿入孔との間に接着剤を塗布した構成であってもよい。また、回動部６６の内壁に凸部を設け、圧入することによって係止装置と挿入孔との間をシールしてもよい。
【００６３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示は、衣類乾燥機に適用可能である。具体的には、縦型洗濯乾燥機、ドラム式洗濯乾燥機、洗濯乾燥機能を備えない衣類乾燥機などに、本開示は適用可能である。
【符号の説明】
【００６５】
１  筐体
１ａ  開口
２  サスペンション
３  外槽
５  内槽（回転槽）
７  扉
９  排水経路
１０  排水弁
１１  送風ファン（送風手段）
１２  第１の循環風路
１３  ヒートポンプユニット
１５  第２の循環風路
１７  ヒートポンプケース
２０  除湿手段
２１  加熱手段
２４  フィルタ装置
２４ａ  フィルタ筐体
２４ｂ  フィルタ部
２５  フィルタ装置収容部
３７  水排出経路
５１  挿入側傾斜面
５２  引出側傾斜面
５３  ピン保持部
６０  係止装置
６１  ピン
６２  金属バネ
６３  ピンカバー
６４  ネジ
６５ａ  第１の凸部
６５ｂ  第２の凸部
６６  回動部
６７  ピンカバー係止部
６８  ネジ孔
６９  リブ
７０  係止装置取付部（外壁）
７１  台座
７２  Ｏリング
７３  第３の凸部
７４  ボス
７５  挿入孔
【図１】
2020039527.tif 000003
【図２】
2020039527.tif 000004
【図３】
2020039527.tif 000005
【図４】
2020039527.tif 000006
【図５】
2020039527.tif 000007
【図６】
2020039527.tif 000008
【図７】
2020039527.tif 000009